(57)【特許請求の範囲】
【請求項１】
分離膜を用いて処理される被処理水の膜閉塞性評価方法であって、
被処理水に含まれるナノ粒子濃度とナノ粒子のゼータ電位とを測定し、
予め求めた、ナノ粒子濃度と膜閉塞性評価指標との相関関係を示す濃度回帰曲線、並びにナノ粒子のゼータ電位と膜閉塞性評価指標との相関関係を示すゼータ電位回帰曲線に基づいて、
前記ナノ粒子のゼータ電位の測定値が、前記ゼータ電位回帰曲線の非相関領域(ＮｚｎＣＲ)の場合は、前記濃度回帰曲線を選択して前記ナノ粒子濃度測定値による膜閉塞性評価指標の値を決定し、
前記ナノ粒子のゼータ電位の測定値が、前記ゼータ電位回帰曲線の準相関領域(ＮｚｓＣＲ)又は相関領域(ＮｚＣＲ)の場合は、前記濃度回帰曲線又は前記ゼータ電位回帰曲線を選択して膜閉塞性評価指標の値を決定する
ことを特徴とする被処理水の膜閉塞性評価方法。
【請求項２】
前記請求項１記載の被処理水の膜閉塞性評価方法において、
前記ナノ粒子のゼータ電位の測定値が、前記ゼータ電位回帰曲線の準相関領域(ＮｚｓＣＲ)の場合は、ナノ粒子のゼータ電位の測定値及びナノ粒子濃度測定値からそれぞれの回帰曲線へと垂線を引いた場合に測定値と回帰曲線との距離が短くなる方の回帰曲線を選択し、
該膜閉塞性評価指標の値を決定することを特徴とする被処理水の膜閉塞性評価方法。
【請求項３】
分離膜を用いて処理される被処理水の膜閉塞性評価方法であって、
被処理水に含まれるナノ粒子濃度とナノ粒子のゼータ電位を測定し、
予め求めた、ナノ粒子濃度と膜閉塞性評価指標との関係並びにナノ粒子のゼータ電位と膜閉塞性評価指標との関係から、前記ナノ粒子濃度の測定値と前記ナノ粒子のゼータ電位の測定値のうちいずれか一つを選択し、
前記被処理水のナノ粒子のゼータ電位が−２０ｍＶ超−１５ｍＶ以下となる領域には前記ナノ粒子のゼータ電位と膜閉塞性評価指標との関係が相関的となり始めるゼータ電位準相関領域が存在し、
前記被処理水のナノ粒子のゼータ電位が−１５ｍＶ超となる領域には前記ナノ粒子のゼータ電位と膜閉塞性評価指標との関係が相関的であるゼータ電位相関領域が存在しており、
前記測定された被処理水のナノ粒子のゼータ電位が前記ゼータ電位相関領域にある場合には、前記測定値のうちナノ粒子のゼータ電位の測定値が選択され、
該選択された測定値と前記関係とに基づいて前記被処理水の膜閉塞性評価指標の値を決定することを特徴とする被処理水の膜閉塞性評価方法。
【請求項４】
前記被処理水のうち、少なくとも前記ナノ粒子濃度とナノ粒子のゼータ電位の測定に供される部分に含まれる粒子の大きさが４５０ｎｍ以下であることを特徴とする請求項１〜３の何れか１項に記載の被処理水の膜閉塞性評価方法。
【請求項５】
前記被処理水に含まれるナノ粒子濃度とナノ粒子のゼータ電位の測定が、ナノ粒子追跡解析法（ＮＴＡ）、レーザー誘起破壊検知法（ＬＩＤＢ）および電気抵抗ナノパルス法（ＴＲＰＳ）から選択される方法により行われることを特徴とする請求項１〜４の何れか１項に記載の被処理水の膜閉塞性評価方法。
【請求項６】
前記被処理水に含まれるナノ粒子濃度とナノ粒子のゼータ電位の測定が、ナノ粒子追跡解析法（ＮＴＡ）により行われ、
該ナノ粒子追跡解析法（ＮＴＡ）において用いるレーザーの波長が、４００ｎｍ以上５００ｎｍ以下の範囲から選択されることを特徴とする請求項５に記載の被処理水の膜閉塞性評価方法。
【請求項７】
請求項１〜６の何れか１項に記載の被処理水の膜閉塞性評価方法を用いて膜閉塞性評価指標の値を決定した被処理水の膜ろ過方法であって、
該被処理水のナノ粒子のゼータ電位が−１５ｍＶ超となるか、あるいは該被処理水のナノ粒子濃度が５０×１０６個／ｍＬ以下となるように前処理を行う被処理水の膜ろ過方法。
【請求項８】
前記前処理が、被処理水に凝集剤を添加して行う凝集処理であり、
前記ナノ粒子のゼータ電位が−１０ｍＶ超＋５ｍＶ以下となるように前記凝集処理の凝集条件を制御することを特徴とする請求項７に記載の被処理水の膜ろ過方法。
【請求項９】
前記前処理が、被処理水に凝集剤を添加して行う凝集処理であり、
前記ナノ粒子濃度が１０×１０６個／ｍＬ以下の範囲となるように前記凝集処理の凝集条件を制御することを特徴とする請求項７に記載の被処理水の膜ろ過方法。
【請求項１０】
ろ過対象水となる被処理水の流路に設けられて該被処理水を導入してろ過する分離膜を有する被処理水の膜ろ過装置において、
前記分離膜よりも前記流路の上流において前記被処理水に含まれるナノ粒子濃度とナノ粒子濃度のゼータ電位を測定し、前記ナノ粒子濃度の測定値と前記ナノ粒子のゼータ電位の測定値を得るナノ粒子測定手段と、
予め求めた、ナノ粒子濃度と膜閉塞性評価指標との相関関係を示すゼータ電位回帰曲線、並びにナノ粒子のゼータ電位と膜閉塞性評価指標との相関関係を示すゼータ電位回帰曲線を記憶する回帰曲線記憶手段と、
前記ナノ粒子のゼータ電位の測定値が、前記ゼータ電位回帰曲線の非相関領域(ＮｚｎＣＲ)の場合は、前記濃度回帰曲線を選択し、
前記ナノ粒子のゼータ電位の測定値が、前記ゼータ電位回帰曲線のゼータ電位回帰曲線の準相関領域(ＮｚｓＣＲ)の場合は、ナノ粒子のゼータ電位の測定値及びナノ粒子濃度測定値からそれぞれの回帰曲線へと垂線を引いた場合に測定値と回帰曲線との距離が短くなる方の回帰曲線を選択し、
前記ナノ粒子のゼータ電位の測定値が、前記ゼータ電位回帰曲線の相関領域(ＮｚＣＲ)の場合は、前記ゼータ電位回帰曲線を選択して、
前記選択された回帰曲線に基づいて前記測定値から膜閉塞性評価指標の値を決定する制御手段と、
を有することを特徴とする膜ろ過装置。
【発明の詳細な説明】
【技術分野】
【０００１】
本発明は、分離膜を用いて処理される被処理水の膜閉塞性評価方法、特に、水処理の分野における分離膜を用いて処理される被処理水の膜閉塞性評価方法、その膜閉塞性評価方法に用いる膜ろ過装置、およびその膜閉塞性評価方法を用いて膜閉塞性評価指標値を決定した被処理水の膜ろ過方法に関する。
【背景技術】
【０００２】
限外ろ過膜や精密ろ過膜を用いた膜ろ過装置は、圧力容器内に分離膜を配設してこの分離膜で容器内を原水側と透過水側（ろ過水側）に仕切り、原水側に原水をポンプで加圧導入するとともに、膜ろ過により透過水側から透過水を得るものである。
【０００３】
原水として河川水や地下水を使用する場合、クリプトスポリジウムなどの病原性微生物の問題があることから、これら河川水、地下水を原水とした浄水処理への膜ろ過装置の適用が進んでいる。
【０００４】
しかしながら、このような膜ろ過装置では、分離膜の原水側膜面や膜細孔内に原水中に含まれる成分の付着や析出が生じて分離膜が汚染し、ろ過性能が次第に低下する。
【０００５】
浄水処理において膜汚染を生じさせる物質は、有機物、鉄、マンガン、アルミニウム、シリカなどであると言われており、現状、膜透過流束等の運転条件を選定する際には、原水中のこれらの濃度を測定し、その結果と今までの実績などから経験的に決定することが多い。
【０００６】
膜汚染の原因物質として、有機物は最も重要な膜汚染原因物質である。この水質指標としては全有機炭素（ＴＯＣ）が使用されるが、ＴＯＣの値が同じ原水でも膜のろ過抵抗の上昇速度が異なる場合はたびたび見受けられ、実際の運転と設計時の予想が大きく違ったため薬品洗浄の頻度が増えたりするなどのトラブルは少なくない。
【０００７】
また、運転管理においても同様であり、ＴＯＣ濃度に変化が無いのに膜汚染が急激に進行する場合もある。この原因としては、膜汚染を引き起こす原因有機物がＴＯＣ成分の極々一部であり、その濃度も非常に低いため、その変化がＴＯＣを測定しても検出できないことにある。
【０００８】
ＴＯＣ等の個々の水質ではなくオーバーオールな分離膜供給水の膜閉塞性を評価する手法として、ＪＩＳ Ｋ３８０２に定義されているファウリングインデックス（ＦＩ値）などがあるが、これら従来の指標は、基本的に逆浸透膜装置への供給水の評価を想定した指標であり、数度の濁度がある水道原水では同じＦＩ値となり評価できない。
【０００９】
そこで、本発明者は、従来、鋭意研究を重ね、非特許文献１〜４に記載する水道原水などの膜供給水中の膜閉塞有機物質に関する新しい指標である“ファウリングポテンシャル(Ｆｏｕｌｉｎｇ  Ｐｏｔｅｎｔｉａｌ：ＦＰ)”を開発していた。
【００１０】
非特許文献１によれば、ＦＰとは、試料水を予め０．４５μｍのメンブレンフィルターでろ過し、濁度成分を除去した後に所定の膜ろ過試験を行い、当該膜ろ過試験において所定の膜差圧上昇が生じた後、膜のスポンジ洗浄とシュウ酸洗浄を行い、これらの洗浄操作で回復しなかった膜差圧（ｍ−Ａｑ ａｔ ２５℃）の増分を測定し、それを単位膜面積当たりのろ過水量（ｍ３／ｍ２）で除した値として定義される。
【００１１】
本指標は、水道原水やその前処理を行った膜供給水中の膜閉塞有機物、すなわち、多糖類の存在量や分子量に関する有益な情報を与える指標である。
【００１２】
ＦＰ測定に必要な試料量は５００〜１，０００ｍＬ程度であり、浄水処理で凝集剤注入率選択のために一般的に行われるジャーテストに必要な試料量とほぼ同じである事から、ジャーテストを行った後に引き続いてＦＰを測定する事で、凝集処理による膜閉塞物質量の減少量を定量的に把握する事が可能となる、非常に有効な指標の一つである。
【００１３】
また、ＦＰ等の膜供給水中の膜閉塞物質に関する指標とは異なるものの、膜供給水の膜汚染性を低下させる目的で、原水の膜への供給の前処理としての凝集処理が行われており、この凝集処理の凝集条件（具体的には、凝集剤種類、凝集剤注入率、凝集ｐＨ、撹拌条件等）の選定を行うためにゼータ電位を利用することが特許文献１に提案されている。
【００１４】
具体的には、特許文献１には、原水を凝集処理した後に多孔質膜でろ過処理する水処理方法において、凝集ｐＨにおける膜表面ゼータ電位が負である多孔質ろ過膜でろ過を行うにあたり、凝集処理水中の凝集フロックのゼータ電位を求め、このゼータ電位が負荷電となるように凝集処理条件を制御することを開示する。
【００１５】
特許文献１の水処理方法によれば、ゼータ電位が負荷電に保たれた凝集フロックの、表面ゼータ電位が負である多孔質ろ過膜への静電的相互作用により当該多孔質ろ過膜への凝集フロックの付着が抑制されてそのファウリングが抑制され、膜モジュールを安定的に長期間運転することができるようになる。
【００１６】
なお、特許文献１の凝集フロックは、電気泳動光散乱装置（ＥＬＳ−８０００：大塚電子（株）製）などにより測定可能な、後述する非特許文献７でいうマイクロフロックおよび同じく非特許文献７でいう直径数ｍｍ程度に集塊化したフロックであると考えられる。
【００１７】
さらに、非特許文献５には、凝集処理における粒子（フロックを含む）のゼータ電位を測定することが膜汚染制御に有用であると報告されており、それによると、０．５μｍ未満の粒子と１μｍより大きい粒子のゼータ電位は異なり、０．５μｍ未満の粒子のゼータ電位を評価する事が膜汚染制御に有効であり、１μｍより大きい粒子の評価をしても意味はないと報告されている。
【００１８】
また、非特許文献６においても、凝集膜ろ過において０．１μｍのＭＦ膜を用いる場合、膜孔径に近い０．０５〜０．２μｍの凝集剤由来のアルミニウム粒子が膜汚染の原因になっている事が報告されている。そのうえで、凝集処理における膜汚染制御を行う場合、従来のような膜供給水全体の評価や凝集フロックのような粗大粒子の評価及び運転制御は意味がなく、０．５μｍ未満のコロイド粒子の評価と制御が重要である事が報告されている。
【００１９】
なお、非特許文献５においては、０．５μｍ未満の凝集粒子をナノフロック、１μｍより大きい粒子をマイクロフロックと呼んでいるが、かかるナノフロック及びマイクロフロックの定義は一般的ではない。例えば、非特許文献６においては、０．４μｍ以下の凝集粒子をナノ粒子と称している。
【００２０】
水処理分野においては、凝集反応後に１０μｍ程度まで成長した微小フロックのことを“マイクロフロック”と言い、単に“フロック”言った場合には、マイクロフロックがさらに集塊化し、数ｍｍになったものを指す（非特許文献７）。
【先行技術文献】
【特許文献】
【００２１】
【特許文献１】特許第５１３１００５号
【非特許文献】
【００２２】
【非特許文献１】鹿島田浩二、他１名、「浄水処理におけるファウリングポテンシャルの提案とその特性評価（Ｉ）」、第６０回全国水道研究発表会講演集、社団法人日本水道協会、２００９年５月、ｐ．１３４−１３５
【非特許文献２】貝谷吉英、他１名、「浄水処理におけるファウリングポテンシャルの提案とその特性評価（ＩＩ）」、第６０回全国水道研究発表会講演集、社団法人日本水道協会、２００９年５月、ｐ．１３６−１３７
【非特許文献３】貝谷吉英、他１名、「浄水処理におけるファウリングポテンシャルの提案とその特性評価（ＩＩＩ）」、第６１回全国水道研究発表会講演集、社団法人日本水道協会、２０１０年５月、ｐ．２５２−２５３
【非特許文献４】貝谷吉英、他１名、「浄水処理におけるファウリングポテンシャルの提案とその特性評価（ＩＶ）」、第６２回全国水道研究発表会講演集、社団法人日本水道協会、２０１１年５月、ｐ．３５２−３５３
【非特許文献５】丁青、他５名、「前凝集におけるマイクロとナノフロックの挙動」、第４８回日本水環境学会講演集、２０１４年、ｐｐ．９２
【非特許文献６】安藤菜子、他１名、「水道原水中のバイオポリマー・ナノ粒子の凝集除去性」、第４９回日本水環境学会講演集、２０１５年、ｐｐ．３８０
【非特許文献７】水道用語辞典、社団法人日本水道協会、１９９６年２月２９日、第５６１頁及び第５９５頁
【発明の概要】
【発明が解決しようとする課題】
【００２３】
上述のＦＰ（ファウリングポテンシャル）に代表される膜ろ過法を用いる膜供給水中の膜閉塞有機物質に関する指標値の測定は、機器も安価で測定も容易であるという利点がある。しかしながら、凝集前処理条件の選定に代表される多検体試料のリアルタイムの評価が求められる場面や浄水処理の現場における連続モニタリングが必要な場面では、一検体の測定時間として１〜３時間程度必要である事から測定時間が長時間に及ぶこととなり、機器台数が増える事による操作性に関する工夫が必要になるなどの課題もある。
【００２４】
また、特許文献１に係る水処理方法によれば、凝集フロックのゼータ電位を負荷電にすることで、表面ゼータ電位が負である多孔質ろ過膜への凝集フロックへの付着を抑制することができる。しかしながら、測定されている凝集フロックのゼータ電位は凝集反応後に１０μｍ程度まで成長したマイクロフロックや当該マイクロフロック同士が結合して直径数ｍｍの大型の粒子塊となったフロックのゼータ電位であって、非特許文献５および６に示すような、膜汚染制御の重要なファクターである５００ｎｍ未満の、あるいは４００ｎｍ以下の直径を有する凝集粒子（ナノ粒子）についてのゼータ電位を測定することは何ら開示されていない。なお、発明者の試験によれば、特許文献１の分析機器では０．４５μｍ以下のナノ粒子についてのゼータ電位を測定することはできなかった。
【００２５】
そのうえ、マイクロフロックやフロックのゼータ電位を測定し、これを負荷電に制御することで凝集フロックの膜付着は抑制されるものの、凝集フロックのゼータ電位を単に測定することのみによっては、被処理水がどのくらい膜を閉塞させる潜在力を有しているかを決定することはできない。このことは、非特許文献５〜６にも当てはまる。
【００２６】
本発明は、上記課題に鑑みてなされたものであり、その目的は、膜処理に供される被処理水の膜閉塞性評価指標値を迅速に決定することができる被処理水の膜汚染性評価方法を提供することにある。
【課題を解決するための手段】
【００２７】
上記目的を達成するための請求項１に記載の発明は、分離膜を用いて処理される被処理水の膜閉塞性評価方法であって、被処理水に含まれるナノ粒子濃度とナノ粒子のゼータ電位とを測定し、予め求めた、ナノ粒子濃度と膜閉塞性評価指標との相関関係を示す濃度回帰曲線、並びにナノ粒子のゼータ電位と膜閉塞性評価指標との相関関係を示すゼータ電位回帰曲線に基づいて、前記ナノ粒子のゼータ電位の測定値が、前記ゼータ電位回帰曲線の非相関領域(ＮｚｎＣＲ)の場合は、前記濃度回帰曲線を選択して前記ナノ粒子濃度測定値による膜閉塞性評価指標の値を決定し、前記ナノ粒子のゼータ電位の測定値が、前記ゼータ電位回帰曲線の準相関領域(ＮｚｓＣＲ)又は相関領域(ＮｚＣＲ)の場合は、前記濃度回帰曲線又は前記ゼータ電位回帰曲線を選択して膜閉塞性評価指標の値を決定することを特徴とする。
【００２８】
請求項２に記載の発明は、前記請求項１記載の被処理水の膜閉塞性評価方法において、前記ナノ粒子のゼータ電位の測定値が、前記ゼータ電位回帰曲線の準相関領域(ＮｚｓＣＲ)の場合は、ナノ粒子のゼータ電位の測定値及びナノ粒子濃度測定値からそれぞれの回帰曲線へと垂線を引いた場合に測定値と回帰曲線との距離が短くなる方の回帰曲線を選択し、該膜閉塞性評価指標の値を決定することを特徴とする。
【００２９】
請求項３に記載の発明は、分離膜を用いて処理される被処理水の膜閉塞性評価方法であって、被処理水に含まれるナノ粒子濃度とナノ粒子のゼータ電位を測定し、予め求めた、ナノ粒子濃度と膜閉塞性評価指標との関係並びにナノ粒子のゼータ電位と膜閉塞性評価指標との関係から、前記ナノ粒子濃度の測定値と前記ナノ粒子のゼータ電位の測定値のうちいずれか一つを選択し、前記被処理水のナノ粒子のゼータ電位が−２０ｍＶ超−１５ｍＶ以下となる領域には前記ナノ粒子のゼータ電位と膜閉塞性評価指標との関係が相関的となり始めるゼータ電位準相関領域が存在し、前記被処理水のナノ粒子のゼータ電位が−１５ｍＶ超となる領域には前記ナノ粒子のゼータ電位と膜閉塞性評価指標との関係が相関的であるゼータ電位相関領域が存在しており、前記測定された被処理水のナノ粒子のゼータ電位が前記ゼータ電位相関領域にある場合には、前記測定値のうちナノ粒子のゼータ電位の測定値が選択され、該選択された測定値と前記関係とに基づいて前記被処理水の膜閉塞性評価指標の値を決定することを特徴とする。
【００３０】
この構成によれば、被処理水のナノ粒子濃度とナノ粒子のゼータ電位を測定した後、予め求めていたナノ粒子濃度と膜閉塞性評価指標との関係並びにナノ粒子のゼータ電位と膜閉塞性評価指標との関係から測定していたナノ粒子濃度とナノ粒子濃度のゼータ電位とのどちらを用いるかが選択され、選択された測定値と上記関係とから被処理水の膜閉塞性評価指標の値が決定される。
【００３１】
したがって、迅速に測定可能なナノ粒子濃度およびゼータ電位を測定することで、予め求めていた関係式から被処理水の膜閉塞評価指標の値を迅速に決定することができる。
【００３２】
また、従来、被処理水の凝集処理を伴う膜ろ過処理においてナノ粒子のゼータ電位の測定が有用であることが示されていたにとどまり、ナノ粒子のゼータ電位の測定によっては被処理水の膜閉塞性については把握することができなかったところ、上述のとおり測定されたナノ粒子のゼータ電位から被処理水の膜閉塞性評価指標値を決定することで、被処理水がどのくらい膜を閉塞させる潜在力を有しているかを決定することができる。
【００３３】
そのうえ、ナノ粒子についてゼータ電位だけでなく粒子濃度も活用することで、両者の測定値のうち膜閉塞性評価指標との相関が高い測定値を選択することが可能となり、より精度高く膜閉塞評価指標の値を決定することが可能となる。さらに、被処理水のナノ粒子のゼータ電位の測定値がゼータ電位準相関領域の範囲を上回るゼータ電位相関領域にある場合にはゼータ電位の測定値を用いて膜閉塞性評価指標の値が決定されることから、より精度高く膜閉塞性評価指標の値を迅速に決定することができる。
【００３４】
請求項４に記載の発明は、請求項１〜３の何れか１項に記載の被処理水の膜閉塞性評価方法において、前記被処理水のうち、少なくとも前記ナノ粒子濃度とナノ粒子のゼータ電位の測定に供される部分に含まれる粒子の大きさが４５０ｎｍ以下であることを特徴とする。
【００３５】
この構成によれば、ナノ粒子濃度およびナノ粒子のゼータ電位の測定に供される部分の被処理水１に含まれる粒子の大きさが４５０ｎｍ以下となるから、ナノ粒子濃度およびナノ粒子のゼータ電位の測定に際して妨害因子となる０．４５μｍ以上の粒子の存在が排除されて測定の精度が向上し、したがって、決定される膜閉塞性評価指標値の精度をさらに向上させることができる。
【００３６】
請求項５に記載の発明は、請求項１〜４の何れか１項に記載の被処理水の膜閉塞性評価方法において、前記被処理水に含まれるナノ粒子濃度とナノ粒子のゼータ電位の測定が、ナノ粒子追跡解析法（ＮＴＡ）、レーザー誘起破壊検知法（ＬＩＤＢ）および電気抵抗ナノパルス法（ＴＲＰＳ）から選択される方法により行われることを特徴とする。
【００３７】
この構成によれば、被処理水１中のナノ粒子濃度とナノ粒子のゼータ電位の測定が、１〜３時間の時間を要するＦＰ等の膜閉塞性評価指標値の測定よりも迅速なナノ粒子追跡解析法（ＮＴＡ）、レーザー誘起破壊検知法（ＬＩＤＢ）および電気抵抗ナノパルス法（ＴＲＰＳ）から選択される方法により行われ、この測定値から上記関係式に当てはめることで迅速に膜閉塞性評価指標値を決定することができる。
【００３８】
請求項６に記載の発明は、請求項５に記載の被処理水の膜閉塞性評価方法において、前記被処理水に含まれるナノ粒子濃度とナノ粒子のゼータ電位の測定が、ナノ粒子追跡解析法（ＮＴＡ）により行われ、該ナノ粒子追跡解析法（ＮＴＡ）において用いるレーザーの波長が、４００ｎｍ以上５００ｎｍ以下の範囲から選択されることを特徴とする。
【００３９】
この構成によれば、ナノ粒子濃度とナノ粒子のゼータ電位の測定が、ナノ粒子追跡解析法（ＮＴＡ）により行われ、且つ、用いるレーザーの波長が、４００ｎｍ以上５００ｎｍ以下の範囲から選択されることから、被処理水に含まれるナノ粒子濃度およびナノ粒子のゼータ電位を的確に測定することができる。
【００４２】
請求項７に記載の発明は、請求項１〜６の何れか１項に記載の被処理水の膜閉塞性評価方法を用いて膜閉塞性評価指標の値を決定した被処理水の膜ろ過方法であって、該被処理水のナノ粒子のゼータ電位が−１５ｍＶ超となるか、あるいは該被処理水のナノ粒子濃度が５０×１０６個／ｍＬ以下となるように前処理を行うことを特徴とする。
【００４３】
この構成によれば、被処理水のナノ粒子のゼータ電位が−１５ｍＶ超となる範囲はゼータ電位相関領域にあり、且つ、膜閉塞性評価指標の値が安定的に小さい値に維持される領域であることから、前処理の効果を増大させ、分離膜の閉塞リスクを低減させることができる。
【００４４】
また、被処理水のナノ粒子濃度が５０×１０６個／ｍＬ以下となる範囲はナノ粒子濃度と膜閉塞性指標との相関があり、且つ、膜閉塞性評価指標の値が安定的に小さい値に維持される領域であることから、前処理の効果を増大させ、分離膜の閉塞リスクを低減させることができる。
【００４５】
請求項８に記載の発明は、請求項７に記載の被処理水の膜ろ過方法において、前記前処理が、被処理水に凝集剤を添加して行う凝集処理であり、前記ナノ粒子のゼータ電位が−１０ｍＶ超＋５ｍＶ以下となるように前記凝集処理の凝集条件を制御することを特徴とする。
【００４６】
この構成によれば、凝集処理の際にナノ粒子のゼータ電位が−１０ｍＶ超＋５ｍＶ以下の範囲となるように凝集処理の処理条件を制御することで、前処理の効果がさらに増大され、分離膜の閉塞のリスクをさらに低減させることができる。
【００４７】
請求項９に記載の発明は、請求項７に記載の被処理水の膜ろ過方法において、前記前処理が、被処理水に凝集剤を添加して行う凝集処理であり、前記ナノ粒子濃度が１０×１０６個／ｍＬ以下の範囲となるように前記凝集処理の凝集条件を制御することを特徴とする。
【００４８】
この構成によれば、凝集処理の際にナノ粒子濃度が１０×１０６個／ｍＬ以下の範囲となるように凝集処理の処理条件を制御することで、前処理の効果がさらに増大され、分離膜の閉塞のリスクをさらに低減させることができる。
【００４９】
請求項１０に記載の発明は、ろ過対象水となる被処理水の流路に設けられて該被処理水を導入してろ過する分離膜を有する被処理水の膜ろ過装置において、前記分離膜よりも前記流路の上流において前記被処理水に含まれるナノ粒子濃度とナノ粒子濃度のゼータ電位を測定し、前記ナノ粒子濃度の測定値と前記ナノ粒子のゼータ電位の測定値を得るナノ粒子測定手段と、予め求めた、ナノ粒子濃度と膜閉塞性評価指標との相関関係を示すゼータ電位回帰曲線、並びにナノ粒子のゼータ電位と膜閉塞性評価指標との相関関係を示すゼータ電位回帰曲線を記憶する回帰曲線記憶手段と、前記ナノ粒子のゼータ電位の測定値が、前記ゼータ電位回帰曲線の非相関領域(ＮｚｎＣＲ)の場合は、前記濃度回帰曲線を選択し、前記ナノ粒子のゼータ電位の測定値が、前記ゼータ電位回帰曲線のゼータ電位回帰曲線の準相関領域(ＮｚｓＣＲ)の場合は、ナノ粒子のゼータ電位の測定値及びナノ粒子濃度測定値からそれぞれの回帰曲線へと垂線を引いた場合に測定値と回帰曲線との距離が短くなる方の回帰曲線を選択し、前記ナノ粒子のゼータ電位の測定値が、前記ゼータ電位回帰曲線の相関領域(ＮｚＣＲ)の場合は、前記ゼータ電位回帰曲線を選択して、前記選択された回帰曲線に基づいて前記測定値から膜閉塞性評価指標の値を決定する制御手段と、を有することを特徴とする。
【００５０】
この構成によれば、予め求めていたナノ粒子濃度と膜閉塞性評価指標との関係並びにナノ粒子のゼータ電位と膜汚染性評価指標との関係から、膜閉塞性評価指標値決定手段により、ナノ粒子測定手段により測定されたナノ粒子濃度とナノ粒子濃度のゼータ電位のうちどちらを用いるかが選択され、選択された測定値と上記関係とから被処理水の膜閉塞性評価指標の値が決定される。
【００５１】
したがって、迅速に測定可能なナノ粒子濃度およびゼータ電位を測定することで、予め求めていた関係式から被処理水の膜閉塞評価指標の値を迅速に決定することができる。
【００５２】
また、従来、被処理水の凝集処理を伴う膜ろ過処理においてナノ粒子のゼータ電位の測定が有用であることが示されていたにとどまり、ナノ粒子のゼータ電位の測定によっては被処理水の膜閉塞性については把握することができなかったところ、上述のとおり測定されたナノ粒子のゼータ電位から被処理水の膜閉塞性評価指標値を決定することで、被処理水がどのくらい膜を閉塞させる潜在力を有しているかを決定することはできる。
【００５３】
そのうえ、ナノ粒子についてゼータ電位だけでなく粒子濃度も活用することで、両者の測定値のうち膜閉塞性評価指標との相関が高い測定値を選択することが可能となり、より精度高く膜閉塞評価指標の値を決定することが可能となる。
【発明の効果】
【００５４】
本発明によれば、被処理水のナノ粒子濃度とナノ粒子のゼータ電位を測定した後、予め求めていたナノ粒子濃度と膜閉塞性評価指標との関係並びにナノ粒子のゼータ電位と膜汚染性評価指標との関係から測定していたナノ粒子濃度とナノ粒子濃度のゼータ電位とのどちらを用いるかが選択され、選択された測定値と上記関係とから被処理水の膜閉塞性評価指標の値が決定される。
【００５５】
したがって、迅速に測定可能なナノ粒子濃度およびゼータ電位を測定することで、予め求めていた関係式から被処理水の膜閉塞評価指標の値を迅速に決定することができる。
【００５６】
また、従来、被処理水の凝集処理を伴う膜ろ過処理においてナノ粒子のゼータ電位の測定が有用であることが示されていたにとどまり、ナノ粒子のゼータ電位の測定によっては被処理水の膜閉塞性については把握することができなかったところ、上述のとおり測定されたナノ粒子のゼータ電位から被処理水の膜閉塞性評価指標値を決定することで、被処理水がどのくらい膜を閉塞させる潜在力を有しているかを決定することはできる。
【００５７】
そのうえ、ナノ粒子についてゼータ電位だけでなく粒子濃度も活用することで、両者の測定値のうち膜閉塞性評価指標との相関が高い測定値を選択することが可能となり、より精度高く膜閉塞評価指標の値を決定することが可能となる。
【図面の簡単な説明】
【００５８】
【図１】本発明の実施の形態に係る被処理水の膜閉塞性評価方法に用いられる膜ろ過装置５０を示す模式図である。
【図２】（Ａ）ナノ粒子濃度と膜閉塞性評価指標の関係を示す関係式（回帰曲線）を示す図であり、（Ｂ）ナノ粒子のゼータ電位と膜閉塞性評価指標の関係を示す関係式（回帰曲線）を示す図である。
【図３】ナノ粒子測定装置５５の制御部５８による被処理水の膜閉塞評価指標の値の決定の制御を説明するためのフローチャートである。
【図４】本実施の形態に係る被処理水の膜閉塞性評価方法を用いて膜閉塞性評価指標の値を決定した被処理水の膜ろ過方法に用いる膜ろ過システム１０を示す模式図である。
【図５】膜ろ過システム１０の凝集条件制御部２５による凝集剤添加の制御を説明するためのフローチャートである。
【図６】ナノ粒子濃度と膜閉塞性評価指標であるＦＰとの関係を示す図である。
【図７】ナノ粒子のゼータ電位と膜閉塞性評価指標であるＦＰとの関係を示す図である。
【図８】実施例２の測定結果を、縦軸（対数軸）をナノ粒子濃度（×１０６個／ｍＬ）とし、横軸をナノ粒子のゼータ電位（ｍＶ）としてプロットした図である。
【発明を実施するための形態】
【００５９】
次に、本発明の実施の形態について図に基づいて詳細に説明する。被処理水の膜閉塞性評価方法を、図１〜図３を参照して説明する。図１は本発明の実施の形態に係る被処理水の膜閉塞性評価方法に用いられる膜ろ過装置５０を示す模式図、図２（Ａ）はナノ粒子濃度と膜閉塞性評価指標の関係を示す関係式（回帰曲線）を示す図、同図（Ｂ）はナノ粒子のゼータ電位と膜閉塞性評価指標の関係を示す関係式（回帰曲線）を示す図、および図３はナノ粒子測定装置５５の制御部５８による被処理水の膜閉塞評価指標の値の決定の制御を説明するためのフローチャートである。
【００６０】
＜膜ろ過装置＞
図１に示すように、膜ろ過装置５０は、被処理水１が流入する圧力容器５２および圧力容器５２に配設される分離膜５６を有する。圧力容器５２よりも上流側に被処理水１を圧力容器内に加圧注入する送液ポンプ６０が設けられており、送液ポンプ６０を作動させることで圧力容器５２内の被処理水１が分離膜５６によりろ過される。分離膜５９によってろ過されたろ液２は、そのまま下流に送液され、さらなる処理に付されてもよい。したがって、被処理水１の流路３は、図１に示す破線矢印にて概念的に示される。
【００６１】
被処理水１は、分離膜５９を用いて処理する水であれば特に限定されない。具体的には、河川水や地下水等の水道原水、海水、生物処理水が挙げられる。また、被処理水１は、水道原水に凝集剤が添加されたものであってもよい。
【００６２】
分離膜５９としては、限外ろ過膜（ＵＦ膜）、精密ろ過膜（ＭＦ膜）、逆浸透膜（ＲＯ膜）、ナノろ過膜（ＮＦ膜）などが挙げられる。
【００６３】
流路３は、分離膜５９の上流で分岐してナノ粒子測定装置５５を経由して再び流路３に合流するバイパス経路４を有している。なお、バイパス経路４は必須の構成ではなく、ナノ粒子測定装置５５が流路３から被処理水１をサンプリング可能なサンプリング手段を有するものであってもよい。
【００６４】
本実施の形態において、ナノ粒子測定装置５５は、バイパス経路４を流れてきた被処理水１のナノ粒子濃度およびナノ粒子のゼータ電位を測定可能なナノ粒子等測定部５６と、ナノ粒子等測定部５６で測定されたナノ粒子濃度およびナノ粒子のゼータ電位の測定値から被処理水１の膜閉塞性評価指標の値を決定する制御を担う制御部５８を有する。なお、制御部５８がナノ粒子測定装置５５内に配置されることは必須ではなく、別体として設けられていてもよい。
【００６５】
ナノ粒子測定装置５５は、１００ｎｍ以下のナノ粒子が評価できる測定装置であれば、何ら分析原理や測定条件に限定されるものではないが、例えば、ナノ粒子追跡解析法（ＮＴＡ）、レーザー誘起破壊検知法（ＬＩＤＢ）および電気抵抗ナノパルス法（ＴＲＰＳ）から選択される方法により被処理水１中のナノ粒子濃度およびナノ粒子のゼータ電位を測定可能な装置を用いることができる。
【００６６】
ナノ粒子追跡解析法（ＮＴＡ）は、ナノ粒子トラッキング解析法ともいい、粒子のブラウン運動の速度が粒子径に依存することを利用し、ＮＴＡ（Nano Tracking Analysis）技術により、粒子のブラウン運動パターンを計測することで、粒子径と個数の粒度分布グラフを得る方法である。例えば、特表２０１４−５２１９６７号公報にその説明が記載されている。なお、ナノ粒子追跡解析法をＰＴＡと略する場合もある。
【００６７】
レーザー誘起破壊検知法（ＬＩＤＢ、Laser Induced Breakdown Detection）は、ナノ秒パルスレーザーを、検知するナノ粒子を含む液体に集光させることで、ナノ粒子がレーザービームと交差するたびに生成するプラズマをセンサーによって検知し、得られたプラズマ統計値からサイズ分布と濃度を導き出す方法である。
【００６８】
電気抵抗ナノパルス法（ＴＲＰＳ、Tunable Resistive Pulse Sensor）は、ナノポアを挟んだ溶液中に電圧をかけると溶液中に含まれるナノ粒子が細孔を通過するが、その際に発生する電気抵抗ナノパルスから粒子の体積を求める（例えば、長いパルスほど体積の大きい粒子となる）方法である。例えば、特表２０１３−５１８２６８号公報にその説明が記載されている。
【００６９】
ナノ粒子濃度とナノ粒子のゼータ電位の測定は、ナノ粒子追跡解析法（ＮＴＡ）により行われることが好ましい。また、ナノ粒子追跡解析法（ＮＴＡ）に用いるレーザーの波長は、４００ｎｍ以上５００ｎｍ以下の範囲から選択されることが好ましい。５００ｎｍを超えるとエネルギーが過大となり不経済であり、４００ｎｍ未満であるとナノ粒子濃度およびナノ粒子の測定のためのアルゴリズムの作成が困難となる。特に好ましくは、４６０ｎｍ以上５００ｎｍ以下の範囲である。
【００７０】
なお、本発明は粗大なフロックではなく、膜汚染に大きく関係するナノ粒子を直接測定することを構成要素として含んでいるところ、特許文献１の技術は、測定原理の観点から考えても、数μｍ以上のゼータ電位を求める技術であり、採用することができない。
【００７１】
また、測定原理が動的光散乱法（ＤＬＳ）の装置についても、使用レーザー波長を６００ｎｍ以下にしたり、レーザー出力を従来よりも大きくするなど、本発明を使用する被処理水のナノ粒子が測定可能であれば、特に限定されるものではない。
【００７２】
制御部５８は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備えたコンピュータである。制御部５８は、ＲＯＭに記憶させたプログラムをＲＡＭ上に展開して対応する処理をＣＰＵに実行させる。
【００７３】
なお、上記プログラムはＲＯＭに記憶されている場合に限らず、ＮＶＲＡＭ（Ｎｏｎ−Ｖｏｌａｔｉｌｅ  Ｒａｎｄａｍ  Ａｃｃｅｓｓ  Ｍｅｍｏｒｙ）に記憶されていればよい。
【００７４】
制御部５８は、予め求めたナノ粒子濃度と膜閉塞性評価指標との関係（関係（ｉ））並びに予め求めたナノ粒子のゼータ電位と膜閉塞性評価指標との関係（関係（ｉｉ））からナノ粒子等測定部５６により測定された被処理水１のナノ粒子濃度およびナノ粒子のゼータ電位のうち何れか一つを選択し、選択した測定値と前記関係（関係（ｉ）または関係（ｉｉ））とに基づいて被処理水１の膜閉塞性評価指標の値を決定する処理を行う。
【００７５】
この処理は、ＲＯＭに記憶されているプログラムである膜閉塞性評価指標値決定手段により実行される。
【００７６】
膜閉塞性評価指標は、ファウリングポテンシャル（ＦＰ）、ＭＦＩ（ＭＦＩ０．４５）、ＭＦＩ−ＵＦ、ＭＦＩ−ＮＦ、ＣＦＳ−ＭＦＩＵＦおよびＵＭＦＩから選択される。
【００７７】
ファウリングポテンシャル（ＦＰ）については、上述の「背景技術」に示したとおりのやり方で測定することができ、例えば、非特許文献１にその説明が詳細に記載されている。
【００７８】
ＭＦＩ（Modified Fouling Index）では、平均孔径０．４５μm、直径４７ｍｍのメンブレンフィルター（一般に、ミリポア社製、セルロース混合エステル（ＴＹＰＥ ＨＡ））を用い、これに圧力２．０ｂａｒ（２００ｋＰａ）で被処理水を通水し、ろ過を行う。グラフの横軸及び縦軸をそれぞれ、ろ過水量：Ｖ（ｌ）及びろ過時間/ろ過水量：ｔ／Ｖ（ｓ／ｌ）として、２０℃におけるろ過試験結果としてプロットし、ｔ／Ｖ−Ｖカーブの直線となる部分の傾きを算出し、その値をＭＦＩ（ＭＦＩ０．４５）とする。
【００７９】
ＭＦＩ−ＵＦ（Modified Fouling Index-Ultrafiltration）は、ＵＦ膜を利用して測定する場合であり、分画分子量１３，０００ダルトンのＵＦ膜を使用する例がある。
【００８０】
ＭＦＩ−ＮＦ（Nanofiltration-Modified Fouling Index）は、ＮＦ膜を使用して測定する場合であり、５００〜１５００ダルトンのＮＦ膜を使用する例がある。
【００８１】
ＣＦＳ−ＭＦＩＵＦ（Crossflow Sampler-Modified Fouling Index-Ultrafiltration）は、ＭＦＩ−ＵＦ法に供給する試験水の前処理として、クロスフローろ過方式の膜ろ過装置を使用し、その膜ろ過水をＭＦＩ−ＵＦ法の評価装置に供給する方式である。以下、ＭＦＩ〜ＣＦＳ−ＭＦＩＵＦについての参考資料を示す。
【００８２】
参考資料：Desalination, Vol.32, pp.137-148 (1980)、Jornal of Membrane Science, Vol.197, pp.1-21 (2002)、Desalination, Vol.192, pp.1-7 (2006)、Water Research, Vol.45, pp.1639-1650 (2011)
ＵＭＦＩ（Unified Membrane Fouling Index）は、実際に使用する膜でミニモジュールを作成し、それを用いてろ過試験を行う方法である。従って、ろ過条件は、使用する膜や実機の運転条件などによって選択される。実際の膜ろ過装置は、定速ろ過で運転される場合が多いため、ろ過試験においても定速ろ過が採用される事が多い。ケーキろ過理論が適用できるので、ケーキろ過定数を算出し、それをＵＭＦＩとする（参考資料：Environ. Sci.Technol., Vol.42, pp.714-720 (2008)）。
【００８３】
ナノ粒子濃度と膜閉塞性評価指標との関係（関係（ｉ））は、図２（Ａ）に示すように、ナノ粒子濃度が増大するにつれて膜閉塞性評価指標が大きく上昇する曲線を描くという相関関係を有する。したがって、予めナノ粒子濃度と膜閉塞性評価指標との関係から、例えば、最小二乗法により回帰曲線（関係式）を作製しておき、当該関係式にナノ粒子等測定部５６で測定された測定値を当てはめることで、迅速に被処理水１の膜閉塞性評価指標値を決定することができる。上記関係式は、制御部５８のＲＯＭに記憶させておけばよい。
【００８４】
また、ナノ粒子のゼータ電位と膜閉塞性評価指標との関係（関係（ｉｉ））は、図２（Ｂ）に示すように、ナノ粒子のゼータ電位が−３０ｍＶから−１５ｍＶ付近まで増加するにつれて大きく減少し、さらにゼータ電位が増加すると膜閉塞性評価指標の値が０へと収束していく曲線を描くという相関関係を有する。したがって、予めナノ粒子のゼータ電位と膜閉塞性評価指標との関係から、例えば、最小二乗法により回帰曲線（関係式）を作製しておき、当該関係式にナノ粒子等測定部５６で測定された測定値を当てはめることで、迅速に被処理水１の膜閉塞性評価指標値を決定することができる。上記関係式は、制御部５８のＲＯＭに記憶させておけばよい。
【００８５】
ところで、図２（Ｂ）中の曲線の破線で示した領域はナノ粒子のゼータ電位と膜閉塞性指標との相関関係がないゼータ電位非相関領域（Ｚｅｔａ  ｐｏｔｅｎｔｉａｌ  ｎｏｎ−ｃｏｒｒｅｌａｔｉｏｎ  ｒｅｇｉｏｎ：以下、ＮｚｎＣＲともいう。）となり、同曲線の実線が大きく湾曲する湾曲ゾーンは、ナノ粒子のゼータ電位と膜閉塞性評価指標との関係が相関的となり始めるゼータ電位準相関領域（Ｚｅｔａ  ｐｏｔｅｎｔｉａｌ  ｓｅｍｉ−ｃｏｒｒｅｌａｔｉｏｎ  ｒｅｇｉｏｎ：以下、ＮｚｓＣＲともいう。）となる。また、さらにナノ粒子のゼータ電位が増大した領域はナノ粒子のゼータ電位と膜閉塞性評価指標との関係が相関的であるゼータ電位相関領域（Ｚｅｔａ  ｐｏｔｅｎｔｉａｌ  ｃｏｒｒｅｌａｔｉｏｎ  ｒｅｇｉｏｎ：以下、ＮｚＣＲともいう。）となる。
【００８６】
ゼータ電位非相関領域（ＮｚｎＣＲ）、ゼータ電位準相関領域（ＮｚｓＣＲ）およびゼータ電位相関領域（ＮｚＣＲ）は、後述する実施例に示すように、それぞれ、ナノ粒子のゼータ電位が−２０ｍＶ以下、−２０ｍＶ超−１５ｍＶ以下、−１５ｍＶ超の領域に存在している。したがって、ゼータ電位非相関領域（ＮｚｎＣＲ）にナノ粒子のゼータ電位の測定値が存在する場合、ナノ粒子のゼータ電位と膜閉塞性評価指標との関係を用いることは好ましくない。
【００８７】
また、ゼータ電位準相関領域（ＮｚｓＣＲ）またはゼータ電位相関領域（ＮｚＣＲ）にナノ粒子のゼータ電位の測定値が存在する場合、ナノ粒子濃度の測定値およびナノ粒子のゼータ電位の測定値のうちどちらの測定値を用いてもよいが、ゼータ電位相関領域（ＮｚＣＲ）にナノ粒子のゼータ電位の測定値が存在する場合は、ナノ粒子のゼータ電位の測定値を選択することが好ましい。
【００８８】
なお、ゼータ電位準相関領域（ＮｚｓＣＲ）にナノ粒子のゼータ電位の測定値が存在する場合、ナノ粒子濃度の測定値およびナノ粒子のゼータ電位の測定値のうちどちらの測定値を用いてもよいが、例えば、ナノ粒子濃度とゼータ電位のそれぞれの測定値から上述の関係（ｉ）および関係（ｉｉ）の回帰曲線へと垂線を引き、測定値と回帰曲線と距離が短くなる方の測定値を選択することとしてもよい。
【００８９】
本発明によれば、一方の測定値（例えば、ナノ粒子のゼータ電位の測定値）の相関が低い領域（例えば、ＮｚｎＣＲ）に位置する場合には、他方の測定値（例えば、ナノ粒子濃度）を選択して膜閉塞性評価指標値を決定することで、関係式のうち相関関係が低い部分が補完され、迅速且つ精度の高い膜閉塞性評価指標値を決定することができる。
【００９０】
なお、どちらの値も相関が高い場合、どちらの値を選択してもよく、その選択も任意であるが、後述する＜被処理水の膜閉塞性の評価方法＞のステップＳ１０６に示すように、例えば、それぞれの測定値から上述の関係（ｉ）および関係（ｉｉ）の回帰曲線へと垂線を引き、測定値と回帰曲線と距離が短くなる方の測定値を選択することとしてもよい。
【００９１】
＜被処理水の膜閉塞性の評価方法＞
以上の構成を有する膜ろ過装置５０を用いた場合を例に、本実施の形態に係る被処理水の膜閉塞性の評価方法について説明する。なお、本発明の被処理水の膜閉塞性の評価方法は、膜ろ過装置５０により行うことが必須というわけではない。
【００９２】
まず、図１に示すように、膜ろ過装置５０が起動されると制御部５８のＲＯＭに記憶されているプログラムである膜閉塞性評価指標値決定手段がＲＡＭ上に展開され、同時に、被処理水１が送液ポンプ６０により一定の流速で下流の圧力容器５２に送液され、一部はバイパス経路４を介してナノ粒子測定装置５５に送られる。
【００９３】
バイパス経路４のナノ粒子測定装置５５への向かう経路には孔径０．４５μｍの図示しないメンブレンフィルターが設けられており、したがって、測定に供される被処理水１に含まれる粒子の大きさは４５０ｎｍ以下となる（バイパス経路４に代えてサンプリング手段が用いられる場合、被処理水１はサンプリング後の孔径０．４５μｍｎメンブレンフィルターでろ過される。）。
【００９４】
なお、メンブレンフィルターとしては親水性の膜が好ましく、親水化処理を行ったＰＤＶＦ、ＰＥＳ、ＰＳの材質の膜が好ましく、また、親水性の材質であるＣＡでも構わない。
【００９５】
使用するメンブレンフィルターの孔径も、評価すべきナノ粒子の性状に応じて変更可能であり、０．４５μｍ以下であってもよい。孔径０．２２μｍ以下のものが好ましく、特に好ましくは孔径０．１μｍ以下である。０．４５μｍよりも小さい孔径のメンブレンフィルターを用いることで、妨害物質をより除去することができ、ナノ粒子濃度およびナノ粒子のゼータ電位の測定の精度がさらに向上する。
【００９６】
［ナノ粒子濃度とゼータ電位の測定工程］
次に、図３に示すように、ステップＳ１０１では、被処理水１のナノ粒子濃度およびナノ粒子のゼータ電位がナノ粒子等測定部５６において測定される。測定値は、制御部５８へと伝達される（以上、ナノ粒子濃度とゼータ電位の測定工程）。
【００９７】
［ナノ粒子濃度の測定値とナノ粒子のゼータ電位の測定値のいづれか一つを選択する工程］
ステップＳ１０２（図３参照）では、ナノ粒子のゼータ電位の測定値が、ゼータ電位準相関領域（ＮｚｓＣＲ）を下回るか否かを判定する。測定値がＮｚｓＣＲを下回る場合（ＹＥＳ判定）、ステップＳ１０３に移行する。測定値がＮｚｓＣＲの範囲内にあるか、その範囲を上回る場合（ＮＯ判定）、ステップＳ１０５に移行する。
【００９８】
ステップＳ１０３では、測定値としてナノ粒子濃度を選択し、ステップＳ１０４に移行する。
【００９９】
一方、ステップＳ１０２から移行した先のステップＳ１０５では、ナノ粒子のゼータ電位の測定値がＮｚｓＣＲの範囲内にあるか否かが判定される。測定値がＮｚｓＣＲの範囲内にある場合（ＹＥＳ判定）、ステップＳ１０６に移行し、測定値がＮｚｓＣＲを上回る場合（ＮＯ判定）、ステップＳ１０７に移行する。
【０１００】
ステップＳ１０６では、測定値と関係式との距離から測定値を選択する。具体的には、ナノ粒子濃度の測定値およびナノ粒子のゼータ電位の測定値からそれぞれの関係式（回帰曲線）へと垂線を引き、測定値と回帰曲線との距離をそれぞれ測定し、測定した距離が短くなる方の測定値を選択する。これにより、より回帰曲線に近く、精度が高い膜閉塞性評価指標値が得られると考えられる。何れかの測定値が選択されたのち、ステップＳ１０４へ、すなわち、膜閉塞性評価指標値の決定工程へと移行する。
【０１０１】
一方、ステップＳ１０５から移行した先のステップＳ１０７では、測定値としてナノ粒子のゼータ電位の測定値が選択され、ステップＳ１０４に移行する。
【０１０２】
（以上、ナノ粒子濃度の測定値とナノ粒子のゼータ電位の測定値のいづれか一つを選択する工程）。
【０１０３】
［膜閉塞性評価指標値の決定工程］
ステップＳ１０４では、選択された測定値を、ナノ粒子濃度と膜閉塞性評価指標との関係式またはナノ粒子のゼータ電位と膜閉塞性評価指標との関係式に当てはめ、膜閉塞性評価指標の値を決定する（以上、膜閉塞性評価指標値の決定工程）。
【０１０４】
その後、膜閉塞性評価指標値が決定された被処理水１は圧力容器５２内に送液され、分離膜５９による膜ろ過処理に付されてろ液２となる。
【０１０５】
したがって、本実施の形態に係る被処理水の膜閉塞性の評価方法によれば、被処理水１のナノ粒子濃度とナノ粒子のゼータ電位を測定した後、予め求めていたナノ粒子濃度と膜閉塞性評価指標との関係並びにナノ粒子のゼータ電位と膜汚染性評価指標との関係から測定していたナノ粒子濃度とナノ粒子濃度のゼータ電位とのどちらを用いるかが選択され、選択された測定値と上記関係とから被処理水の膜閉塞性評価指標の値が決定される。
【０１０６】
したがって、迅速に測定可能なナノ粒子濃度およびゼータ電位を測定することで、予め求めていた関係式から被処理水１の膜閉塞評価指標の値を迅速に決定することができる。
【０１０７】
また、従来、被処理水１の凝集処理を伴う膜ろ過処理においてナノ粒子のゼータ電位の測定が有用であることが示されていたところ、ナノ粒子についてゼータ電位だけでなく粒子濃度も活用することで、両者の測定値のうち膜閉塞性評価指標との相関が高い測定値を選択することが可能となり、より精度高く膜閉塞評価指標の値を決定することが可能となる。
【０１０８】
さらに、被処理水１のナノ粒子濃度の測定値がナノ粒子濃度不規則領域（ＮｃＩＲ）の範囲を上回る場合、すなわち、ナノ粒子濃度の測定値を選択してもナノ粒子濃度と膜閉塞性評価指標との関係のうち両者の関係が不規則とならない領域において膜閉塞性評価指標の値が決定されることから、より精度高く膜閉塞性評価指標の値を迅速に決定することができる。
【０１０９】
同様に、被処理水１のナノ粒子のゼータ電位の測定値がゼータ電位準相関領域（ＮｚｓＣＲ）の範囲を上回るゼータ電位相関領域（ＮｚＣＲ）にある場合にはゼータ電位の測定値を用いて膜閉塞性評価指標の値が決定されることから、より精度高く膜閉塞性評価指標の値を迅速に決定することができる。
【０１１０】
さらに、ナノ粒子濃度およびナノ粒子のゼータ電位の測定に供される被処理水１に含まれる粒子の大きさが４５０ｎｍ以下であることから、測定に際して妨害因子（０．４５μｍ以上の粒子）が排除されて測定の精度が向上し、したがって、決定される膜閉塞性評価指標値の精度をさらに向上させることができる。
【０１１１】
また、被処理水１中のナノ粒子濃度とナノ粒子のゼータ電位の測定が、１〜３時間の時間を要するＦＰ等の膜閉塞性評価指標値の測定よりも迅速なナノ粒子追跡解析法（ＮＴＡ）、レーザー誘起破壊検知法（ＬＩＤＢ）および電気抵抗ナノパルス法（ＴＲＰＳ）から選択される方法により行われ、この測定値から上記関係式に当てはめることで迅速に膜閉塞性評価指標値を決定することができる。
【０１１２】
さらに、本発明は、本発明の被処理水の膜閉塞性評価方法を用いて膜閉塞性評価指標の値を決定した被処理水の膜ろ過方法およびこの膜ろ過方法に用いることができる膜ろ過システム１０を提供する。
【０１１３】
＜膜ろ過システム＞
図４は、本実施の形態に係る被処理水の膜閉塞性評価方法を用いて膜閉塞性評価指標の値を決定した被処理水の膜ろ過方法に用いる膜ろ過システム１０を示す模式図である。図示のように、膜ろ過システム１０は、上記膜ろ過装置５０と比較して前処理槽１５および膜処理槽１５への凝集剤添加系統およびその制御系が付加された点において異なる。したがって、これらの新たに付加された構成について主に説明し、他の共通する構成については膜ろ過装置５０と同一の符号を付しその説明を省略する。
【０１１４】
膜ろ過システム１０は、圧力容器５２の上流に、被処理水１を前処理する前処理槽１５を有する。前処理は、膜ろ過、珪藻土ろ過、遠心分離による固液分離、凝集剤を添加する凝集処理等、水質を向上させるための種々の処理を行うことができる。好ましくは、凝集処理であり、本実施の形態においては、前処理として凝集剤を添加して行う凝集処理を採用し、したがって、前処理槽１５は凝集剤が添加される凝集槽である。前処理槽１５は、経路２３を介して凝集剤貯槽２０と接続されている。
【０１１５】
前処理槽１５には、凝集処理による凝集物を除去する除去手段が設けられていてもよく、前処理槽１５の下流であって圧力容器の上流に設けた沈殿槽によりかかる凝集物を沈殿除去する構成としてもよい。
【０１１６】
凝集剤貯槽２０は、前処理槽１５に添加される凝集剤を貯留する貯留槽である。凝集剤としては、目的に応じて無機凝集剤および高分子凝集剤から選択することができる。凝集剤は、本実施の形態においては液体として例示するが、粉末品であってもよい。その場合、凝集剤貯槽２０は開閉弁を備えるホッパーを用いることができる。
【０１１７】
無機凝集剤としては、アルミニウム塩やカルシウム塩が挙げられ、高分子凝集剤としては、カチオン系高分子凝集剤、アニオン系高分子凝集剤、両性高分子凝集剤を挙げることができる。
【０１１８】
経路２３には、凝集剤貯槽２０から凝集剤を前処理槽１５へと送液するためのポンプ２２が設けられており、凝集条件制御部２５からの信号によりその駆動が制御される。なお、凝集剤が粉末の場合、ポンプに代えて開閉弁を設け、凝集条件制御部２５による開閉制御により、前処理槽１５に送られる凝集剤の量が制御される。
【０１１９】
凝集条件制御部２５は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備えたコンピュータである。制御部２５は、ＲＯＭに記憶させたプログラムをＲＡＭ上に展開して対応する処理をＣＰＵに実行させる。
【０１２０】
なお、上記プログラムはＲＯＭに記憶されている場合に限らず、ＮＶＲＡＭ（Ｎｏｎ−Ｖｏｌａｔｉｌｅ  Ｒａｎｄａｍ  Ａｃｃｅｓｓ  Ｍｅｍｏｒｙ）に記憶されていればよい。
【０１２１】
凝集条件制御部２５は、ナノ粒子測定装置５５の制御部５８から選択されたナノ粒子濃度等の測定値の情報を受信し、ポンプ２２に信号を送りポンプ２２の駆動時間を制御する。
【０１２２】
この処理は、ＲＯＭに記憶されているプログラムにより行われる。
【０１２３】
具体的には、このプログラムは、凝集条件制御部２５が受信した被処理水１のナノ粒子濃度またはナノ粒子のゼータ電位の測定値に基づき、前処理槽１５で処理された後の被処理水１のナノ粒子濃度が５０×１０６個以下（好ましくは、１０×１０６個以下）となるか、あるいは前処理槽１５で処理された後の被処理水１のナノ粒子のゼータ電位が−１５ｍＶ超（好ましくは、−１０ｍＶ超＋５ｍＶ以下の範囲内）となるために必要な濃度で凝集剤が前処理槽１５に添加されるようにポンプ２２に信号を送り、ポンプの駆動時間を制御する。
【０１２４】
上記前処理槽１５における凝集剤の必要な濃度は、例えば、予め被処理水１に対して少なくとも３以上の異なる濃度となるように凝集剤を添加して、凝集剤の添加濃度と添加処理後の被処理水１中のナノ粒子濃度の関係または凝集剤の添加濃度と添加処理後の被処理水１中のナノ粒子のゼータ電位の関係について検量線をそれぞれ作成しておき、この検量線に当てはめることで決定することができる。
【０１２５】
なお、被処理水１のもとのナノ粒子濃度やゼータ電位が大きく変動する場合、その都度検量線は作成し直す必要がある。
【０１２６】
＜被処理水の膜閉塞性評価方法を用いて膜閉塞性評価指標の値を決定した被処理水の膜ろ過方法＞
次に、以上の構成を有する膜ろ過装置１０を用いた場合を例に、図５を参照して上記本発明の被処理水の膜閉塞性評価方法を用いて膜閉塞性評価指標の値を決定した被処理水の膜ろ過方法について説明する。図５は、膜ろ過システム１０の凝集条件制御部２５による凝集剤添加の制御を説明するためのフローチャートである。
【０１２７】
図４に示すように、本実施の形態に係る膜ろ過システム１０が起動されると、制御部５８のＲＯＭに記憶されているプログラムである膜閉塞性評価指標値決定手段がＲＡＭ上に展開されるとともに、凝集条件制御部２５のＲＯＭに記憶されている、ポンプ２２の駆動時間を制御するためのプログラムがそのＲＡＭ上に展開される。また、被処理水１が送液ポンプ６０により一定の流速で下流の圧力容器５２側へと送液され、一部はバイパス経路４を介してナノ粒子測定装置５５に送られる。
【０１２８】
［ナノ粒子濃度とナノ粒子のゼータ電位の測定］
図５に示すように、ステップＳ２０１では、上記膜ろ過装置５０の場合と同様に、被処理水１中のナノ粒子濃度とナノ粒子のゼータ電位が測定される（以上、ナノ粒子濃度とナノ粒子のゼータ電位の測定工程）。
【０１２９】
［ナノ粒子濃度の測定値とナノ粒子のゼータ電位の測定値のいづれか一つを選択する工程］
ステップＳ２０２では、上記膜ろ過装置５０の場合と同様に、ナノ粒子濃度の測定値とナノ粒子のゼータ電位の測定値のうちいづれか一つが選択される（以上、ナノ粒子濃度の測定値とナノ粒子のゼータ電位の測定値のいづれか一つを選択する工程）。
【０１３０】
［膜閉塞性評価指標値の決定工程］
その後、ステップＳ２０３では、上記膜ろ過装置５０の場合と同様に、膜閉塞性評価指標の値が決定される（以上、膜閉塞性評価指標値の決定工程）。
【０１３１】
［凝集条件（凝集剤添加量）の制御工程］
ステップＳ２０４では、制御部５８から膜閉塞性評価指標値とともにステップＳ２０２で選択された測定値が凝集条件制御部２５に伝達される。凝集条件制御部２５は、この測定値を、例えば、上述の検量線（すなわち、凝集剤の添加濃度と添加処理後の被処理水１中のナノ粒子濃度の関係または凝集剤の添加濃度と添加処理後の被処理水１中のナノ粒子のゼータ電位の関係について検量線）に当てはめて前処理槽１５における凝集剤の必要な濃度を決定し、その濃度とするために必要な速度・量で凝集剤を凝集剤貯槽２０から前処理槽１５に添加可能となるようにポンプ２２に信号を送る（以上、凝集条件（凝集剤添加量）の制御工程）。
【０１３２】
［凝集剤の添加工程］
ステップＳ２０５では、凝集条件制御部２５から伝達された信号に基づき、ポンプ２２が駆動して前処理槽１５に凝集剤が添加され、前処理槽１５内で被処理水１と凝集剤が適宜に撹拌混合される（以上、凝集剤の添加工程）。
【０１３３】
その後、凝集物と分離された被処理水１が圧力容器５２へと送液され、分離膜５９による膜ろ過処理に付され、ろ過後のろ液２が下流へと送られる。
【０１３４】
したがって、本実施の形態に係る被処理水の膜閉塞性評価方法を用いて膜閉塞性評価指標の値を決定した被処理水の膜ろ過方法および膜ろ過方法に用いられる膜ろ過システム１０によれば、被処理水１のナノ粒子のゼータ電位が−１５ｍＶ超となる範囲はゼータ電位相関領域（ＮｚＣＲ）にあり、且つ、膜閉塞性評価指標の値が安定的に小さい値に維持される領域であることから、前処理の効果を増大させ、分離膜の閉塞リスクを低減させることができる。
【０１３５】
また、被処理水１のナノ粒子濃度が５０×１０６個／ｍＬ以下となる範囲はナノ粒子濃度と膜閉塞性指標との相関があり、且つ、膜閉塞性評価指標の値が安定的に小さい値に維持される領域であることから、前処理の効果を増大させ、分離膜の閉塞リスクを低減させることができる。
【０１３６】
なお、本発明は上記実施の形態に限定されることはなく、発明の趣旨を逸脱しない範囲で種々変更可能である。
【０１３７】
例えば、被処理水の膜閉塞性評価方法を用いて膜閉塞性評価指標の値を決定した被処理水の膜ろ過方法において、前処理槽１５における凝集処理条件を、凝集剤の注入率（すなわち、前処理槽１５への凝集剤貯槽２０からの送液速度・量）により調整しているがこれに限られるものではない。すなわち、使用する凝集剤の種類、前処理槽１５におけるｐＨ調整、前処理槽１５における撹拌条件（撹拌時間・撹拌速度等）の変更等により調整することも可能である。
【実施例】
【０１３８】
以下、本発明を実施例により詳細に説明する。
【０１３９】
［１．ナノ粒子濃度とナノ粒子のゼータ電位の測定のための測定手法の検討］
（比較例１）
水道原水であるＫ河川水とその凝集処理水のナノ粒子解析を行った。この試料となる水道原水のＦＰ（膜閉塞性評価指標値）は９．４４であり、水道原水としては比較的膜汚染性が高い原水であった。
【０１４０】
なお、ＦＰの測定は、以下のようにして行った。
【０１４１】
まず、公称孔径０．２２μｍの疎水性ＰＶＤＦ膜（ミリポア社製、ＧＶＨＰ、直径２５ｍｍ）を使用し、これを撹拌式加圧セルに装着し、ＨＰＬＣ用送液ポンプで加圧ろ過を行った。ろ過は、セルの撹拌子を１，４５０ｒｐｍで回転させながら全量定速ろ過（膜透過流束２０ｍ／日）で行い、膜差圧がある程度以上上昇した後、膜をセルから取り外し、１％−シュウ酸洗浄（洗浄時間６０分、洗浄温度２０℃程度）と膜面のスポンジ洗浄を行った。洗浄後、膜をセルに装着し、供試水のＧＶＨＰ膜ろ過水でろ過を行い、再び膜差圧を測定した。この膜差圧とろ過開始時の膜差圧の差（ｍ−Ａｑ，ａｔ２５℃）を総ろ過水量（ｍ３／ｍ２−膜）で除した値を供試水のファウリングポテンシャル（ＦＰ）とした。
【０１４２】
また、水道原水にポリ塩化アルミニウム（ＰＡＣ）を注入率２０ｍｇ／Ｌになるように添加し、急速撹拌（１３０ｒｐｍ×３分）を行い、３分静置したものを凝集処理水とした。
【０１４３】
分析は、各試料（純水、Ｋ河川水（水道原水）、凝集処理水）を０．４５μｍメンブレンフィルターで前処理した後に行った。散乱強度とナノ粒子のゼータ電位の測定には、動的光散乱法（ＤＬＳ）を測定原理とした分析装置（大塚電子（株）製：ＥＬＳＺ−２０００、仕様：レーザー波長６６０ｎｍ、レーザー出力７０ｍＷ）を使用した。なお、本装置ではナノ粒子濃度は測定できない。測定結果を表１に示す。
【０１４４】
【表１】
0006486799.tif 000002
【０１４５】
結果としては、すべての試料において、１０，０００（ｃｐｓ）以上の十分な散乱強度を得ることができず、特許文献１で用いられた動的光散乱法（ＤＬＳ）を測定原理とした分析装置によっては、被処理水中の４５０ｎｍ以下のナノ粒子濃度とナノ粒子のゼータ電位を測定することができなかった。
【０１４６】
（実施例１）
比較例１と同じ試料を、ナノ粒子追跡解析法（ＮＴＡ）を測定原理とした分析装置（ＰＭＸ社製：ＺｅｔａＶｉｅｗ ＰＭＸ１１０、仕様：レーザー波長４８８ｎｍ、レーザー出力４０ｍＶ）で評価した。
【０１４７】
なお、本実施例では、凝集処理水として、ポリ塩化アルミニウム（ＰＡＣ）の注入率を２０、３０、４０、５０ｍｇ／Ｌの４条件としたものについて測定を行った。測定結果を表２に示す。
【０１４８】
【表２】
0006486799.tif 000003
【０１４９】
実施例１によれば、ナノ粒子追跡解析法（ＮＴＡ）を測定原理とした分析装置により、水道原水（Ｋ河川水）とその凝集処理水のナノ粒子濃度とゼータ電位を測定できる事が分かる。また、ナノ粒子の粒径分布からメジアン径も評価可能である。
【０１５０】
また、実施例１によれば、凝集処理において、ＰＡＣの添加量を増加させるに連れてゼータ電位が上昇する傾向があり、ナノ粒子濃度が低下する傾向にあることがわかる。
【０１５１】
さらに、ＰＡＣ注入率５０ｍｇ／Ｌにおいては、ＰＡＣ注入率４０ｍｇ／Ｌよりもナノ粒子濃度が増加し、メジアン径が小さくなった事から粒子径分布が小さい方にシフトした事が予想でき、加えて、ゼータ電位が負から正に荷電状態が変わった事から、凝集剤が過剰注入になっている事も分かる。
【０１５２】
［２．ナノ粒子濃度と膜閉塞性評価指標（ＦＰ）との関係及びナノ粒子のゼータ電位と膜閉塞性評価指標（ＦＰ）との関係の検討］
（実施例２）
実施例１で用いたナノ粒子追跡解析法（ＮＴＡ）を測定原理とした分析装置（ＰＭＸ社製：ＺｅｔａＶｉｅｗ ＰＭＸ１１０、仕様：レーザー波長４８８ｎｍ、レーザー出力４０ｍＶ）を用い、被処理水のナノ粒子濃度およびナノ粒子のゼータ電位を測定した。ＦＰの測定は、比較例１の水道原水のＦＰの測定と同じ方法で測定した。
【０１５３】
試料には、水道原水（２０種類）と水道原水の凝集処理水Ａ又はＢを使用した。
【０１５４】
これら凝集処理水は、２種類の河川水（原水）の各々にポリ塩化アルミニウム（ＰＡＣ）を添加し、急速撹拌（１３０ｒｐｍ×３分）を行い、３分静置して得た。また、凝集処理水として、ＰＡＣの添加量を変えたものをいくつか用意した。
【０１５５】
分析は、各試料を０．４５μｍメンブレンフィルターで前処理した後に行った。
【０１５６】
図６にナノ粒子濃度と膜閉塞性評価指標であるＦＰとの関係を示し、図７にナノ粒子のゼータ電位とＦＰとの関係を示す。
【０１５７】
図６に示すように、ナノ粒子濃度とＦＰの関係において、ナノ粒子濃度が５０〜１００×１０６個／ｍＬの付近に関係式（回帰曲線）が大きく湾曲する湾曲ゾーンが存在する。したがって、この湾曲ゾーンのナノ粒子濃度の範囲以下（５０×１０６個／ｍＬ以下）である場合、被処理水の膜閉塞性指標（ＦＰ）の値は低く、被処理水の膜を閉塞させる潜在力が小さいと判断することができる。
【０１５８】
また、図７に示すように、ナノ粒子のゼータ電位とＦＰとの関係において、ゼータ電位が−２０ｍＶ以下となる領域はナノ粒子のゼータ電位とＦＰとの間に相関関係がないゼータ電位非相関領域（ＮｚｎＣＲ）となり、ゼータ電位が−２０ｍＶ超−１５ｍＶ以下となる領域はナノ粒子のゼータ電位とＦＰとの関係が相関的となり始めるゼータ電位準相関領域（ＮｚｓＣＲ）となり、ゼータ電位が−１５ｍＶ超となる領域はナノ粒子のゼータ電位とＦＰとの関係が相関的であるゼータ電位相関領域（ＮｚＣＲ）となっている。
【０１５９】
したがって、ゼータ電位非相関領域（ＮｚｎＣＲ）においてはナノ粒子のゼータ電位からＦＰを決定することはできず、ゼータ電位準相関領域（ＮｚｓＣＲ）においてはナノ粒子のゼータ電位からＦＰを決定することは可能であるものの、他の測定値（ナノ粒子濃度の測定値）を用いることが好ましい場合はそちらを選択することが好ましく、ゼータ電位相関領域（ＮｚＣＲ）においてはゼータ電位からＦＰを精度高く決定することができる。
【０１６０】
図８は、実施例２の測定結果を、縦軸をナノ粒子濃度（×１０６個／ｍＬ）（対数軸で示す）とし、横軸をナノ粒子のゼータ電位（ｍＶ）としてプロットした図である。
【０１６１】
図示のように、ナノ粒子のゼータ電位とナノ粒子濃度の関係を考えてみると、ＦＰとナノ粒子のゼータ電位との関係が相関的といえるゼータ電位相関領域（ＮｚＣＲ）においては、ゼータ電位を測定値として選択し、精度高くＦＰを決定することができる。この領域は、ＦＰが小さい値となる領域であり、したがって、ゼータ電位はＦＰの値が小さくなる領域において高い精度を発揮する指標であるといえる。
【０１６２】
また、ＦＰとナノ粒子のゼータ電位との関係が相関的となり始めるゼータ電位準相関領域（ＮｚｓＣＲ）においては、例えば、上述のとおり、ナノ粒子濃度とゼータ電位のそれぞれの測定値から上述の関係（ｉ）および関係（ｉｉ）の回帰曲線へと垂線を引き、測定値と回帰曲線と距離が短くなる方の測定値を選択することで、精度高くＦＰを決定することができる。
【０１６３】
さらに、ナノ粒子のゼータ電位とＦＰとの間に相関関係がないゼータ電位非相関領域（ＮｚｎＣＲ）においては、ナノ粒子濃度を測定値として選択することで、ゼータ電位を選択することによるＦＰの精度の低下を回避しつつ、ＦＰの値が大きくなる領域においても精度高くＦＰを決定することができる。
【０１６４】
上述のとおり、ＦＰとの関係において、ＦＰ値が小さい値となる領域で高い精度を示すナノ粒子のゼータ電位とＦＰ値が大きい値となる領域で高い精度を示すナノ粒子濃度を用いることで、両者は相互に補完しあい、広範囲に精度高くＦＰ値を決定可能であることが示された。
【符号の説明】
【０１６５】
１  被処理水
５０  膜ろ過装置
５５  ナノ粒子測定装置（ナノ粒子測定手段）
５８  制御部（膜閉塞性評価指標値決定手段）
５９  分離膜
【図１】
0006486799.tif 000004
【図２】
0006486799.tif 000005
【図３】
0006486799.tif 000006
【図４】
0006486799.tif 000007
【図５】
0006486799.tif 000008
【図６】
0006486799.tif 000009
【図７】
0006486799.tif 000010
【図８】
0006486799.tif 000011